(57)【要約】【課題】  特許文献１に記載の出没式筆記具では、軸に形成した案内孔に沿って係合体が、いわば外装体の周面に移動して係合位置に案内されるので、案内孔を物理的に配置する都合上、筆記具本体の幅側の距離を確保しなくてはならず、外装体が太くなるか、細身の外装体とすると案内孔に係合部を係合させるために大きな回転を伴うことになり、長手方向の操作であるノック操作に対する抵抗が大きくなるものであった。【解決手段】  案内路に、リングの凸部を筆記具本体の周方向に変移案内する第１の傾斜壁と、当該第１の傾斜壁とは反対の周方向に変移案内する第４の傾斜壁とを設けることによって、ペン先突出状態の係合部又はペン先没入状態の係合部に案内可能とすると共に、前記リングの凸部を、前記第１の傾斜壁又は第４の傾斜壁を乗り越えるために筆記具本体の径方向に変移案内する第３の傾斜壁を、前記第１の傾斜壁と第４の傾斜壁との間の案内路内に設け、前記第１の傾斜壁と第４の傾斜壁とを、筆記具本体の同一軸線方向位置に配置した。【選択図】  図１
2018016053.tif 000002
【特許請求の範囲】
【請求項１】
外装体内に弾性体により後方付勢されつつ前後動可能に配置された筆記具本体に、凸部を有するリングを、筆記具本体の周上を回動可能で且つ前後方向に移動規制された状態に配置し、外装体及び／又は外装体に取り付けた部材に、前記リングの凸部が、筆記具本体の前後動によって移動し、筆記具本体の先端に有するペン先の外装体先端開口部からの突出状態を形成する係合部と、没入状態を形成する係合部とを有する案内路を形成した出没式筆記具において、前記案内路内に、前記リングの凸部を、ペン先の没入状態を形成する係合部にある状態からペン先の突出状態を形成する係合部に案内する傾斜壁として、リングの前進によってリングの凸部の前側面が衝接してリングの凸部を周方向に変移案内する第１の傾斜壁と、リングの後退によって凸部の後ろ側面が衝接して更に同周方向に変移案内する第２の傾斜壁を設け、また、リングの凸部を、ペン先の突出状態を形成する係合部にある状態からペン先の没入状態を形成する係合部に案内する傾斜壁として、リングの前進によってリングの凸部の前側面が衝接してリングの凸部を径方向に案内し、前記ペン先を突出状態とする係合部に案内する第１及び第２の傾斜壁より前方位置に案内する第３の傾斜壁と、その後に前記リングの凸部を第１の傾斜壁及び／又は第２の傾斜壁とは反対側の周方向に変移案内する第４の傾斜壁とを設けた出没式筆記具。
【発明の詳細な説明】
【技術分野】
【０００１】
本発明は、先端にペン先を備える筆記具本体を外装体内に前後動可能に収容し、該筆記具本体を、操作によって外装体の先端よりペン先を出没させてなる出没式筆記具に関する。
【背景技術】
【０００２】
従来、先端にペン先を備える筆記具本体を前後動可能に外装体内に収容し、該筆記具本体を、操作によって外装体の先端よりペン先を出没させてなる出没式筆記具として、カム機構を利用したものが知られており、コイルスプリング等の弾撥部材にて後方付勢された筆記具本体に形成した突起等の係合部を、ノック操作などで前記弾撥部材の弾撥力に抗して作動させ、外装体に形成した溝などの案内路に案内して、ペン先の突出状態、没入状態のそれぞれに係止できるようにした、所謂ハートカム機構と呼ばれている繰り出し機構を用いたものが知られている。
【０００３】
例えば、特開平１１―３２１１８２号公報には、筆記媒体と共に移動する係合体が外筒に形成された案内孔に案内されることによって、ペン先の出没係止をなす出没式筆記具が開示されている。
【先行技術文献】
【特許文献】
【０００４】
【特許文献１】特開平１１−３２１１８２号公報
【発明の概要】
【発明が解決しようとする課題】
【０００５】
しかし、特許文献１に記載の出没式筆記具では、軸に形成した案内孔に沿って係合体が、外装体の周面に沿って移動して係合位置に案内されるので、案内孔を外装体に配置する都合上、筆記具本体の幅側の距離を確保しなくてはならず、外装体が太くなるか、細身の外装体とすると案内孔に係合部を係合させるために大きな回転を伴うことになり、長手方向の操作であるノック操作に対する抵抗が大きくなるものであった。
【０００６】
本発明は、細身の外装体を使用しながらも、外装体の先端からペン先を出没するための操作荷重を極力小さいものとした出没式筆記具を提供することを目的とする。
【課題を解決するための手段】
【０００７】
本発明は、外装体内に弾性体により後方付勢されつつ前後動可能に配置された筆記具本体に、凸部を有するリングを、筆記具本体の周上を回動可能で且つ前後方向に移動規制された状態に配置し、外装体及び／又は外装体に取り付けた部材に、前記リングの凸部が、筆記具本体の前後動によって移動し、筆記具本体の先端に有するペン先の外装体先端開口部からの突出状態を形成する係合部と、没入状態を形成する係合部とを有する案内路を形成した出没式筆記具において、前記案内路内に、前記リングの凸部を、ペン先の没入状態を形成する係合部にある状態からペン先の突出状態を形成する係合部に案内する傾斜壁として、リングの前進によってリングの凸部の前側面が衝接してリングの凸部を周方向に変移案内する第１の傾斜壁と、リングの後退によって凸部の後ろ側面が衝接して更に同周方向に変移案内する第２の傾斜壁を設け、また、リングの凸部を、ペン先の突出状態を形成する係合部にある状態からペン先の没入状態を形成する係合部に案内する傾斜壁として、リングの前進によってリングの凸部の前側面が衝接してリングの凸部を径方向に案内し、前記ペン先を突出状態とする係合部に案内する第１及び第２の傾斜壁より前方位置に案内する第３の傾斜壁と、その後に前記リングの凸部を第１の傾斜壁及び／又は第２の傾斜壁とは反対側の周方向に変移案内する第４の傾斜壁とを設けた出没式筆記具を要旨とする。
【発明の効果】
【０００８】
本発明の出没式筆記具は、リングの凸部を径方向に案内し、前記ペン先を突出状態とする係合部に案内する第１及び第２の傾斜壁より前方位置に案内する第３の傾斜壁を配置したことにより、リングの凸部の案内路が外装体の周方向に展開される量を少なくすることができるため、出没式筆記具の外装を細身とできると共に、外装体の先端からペン先を出没するための操作荷重が重たくならないためペン先出没の操作しやすいものである。
【図面の簡単な説明】
【０００９】
【図１】本実施例の全体を示す縦断面図
【図２】外装体１の先端部の縦断面斜視図
【図３】外装体１の先端部の縦断面正面図
【図４】外装体１の後部拡大斜視図
【図５】外装体１の後部拡大正面図
【図６】軸筒４の斜視図
【図７】軸筒４の正面図
【図８】軸筒４の縦断面正面図
【図９】ペン先３の正面図
【図１０】ペン先ホルダー７の縦断面正面図
【図１１】軸筒４の先端部分の斜視図
【図１２】軸筒４の後方部分の斜視図
【図１３】尾栓５の正面図
【図１４】尾栓５の縦断面正面図
【図１５】尾栓５のインキ吸蔵体６を挿入する方向からの前方から見た図
【図１６】蓋体８の斜視図
【図１７】蓋体８の側面図
【図１８】蓋体８の内側を示す断面正面図
【図１９】環状部材１２の斜視図
【図２０】環状弾性体１１の縦断面斜視図
【図２１】クリップ１４の斜視図
【図２２】クリップ１４の下方から見た正面図
【図２３】クリップ１４の縦断面正面図
【図２４】クリップ１４の前方規制面１４ｌの縦断面正面図
【図２５】回転子１３の斜視図
【図２６】回転子１３の上方から見た正面図
【図２７】本筆記具の各部品を展開した斜視図
【図２８】クリップ１４を外装体１に嵌め込む様子を示すクリップ１４の前方係合突起１４ｂ及び後方係合突起１４ｃの縦断面正面図
【図２９】クリップ１４を外装体１に嵌め込む様子を示すクリップ１４の中心からカットした縦断面図
【図３０】外装体１とクリップ１４を配設した後方から見た正面図
【図３１】蓋体８の回転と筆記具本体２の前進動作を説明する本筆記具の前方縦断面正面図
【図３２】蓋体８の回転と筆記具本体２の前進動作を説明する本筆記具の外装体１及び環状弾性体９の前方縦断面正面図
【図３３】図３２の段階（１）前方拡大正面図
【図３４】図３２の段階（２）前方拡大正面図
【図３５】図３２の段階（３）前方拡大正面図
【図３６】図３２の段階（４）前方拡大正面図
【図３７】図３２の段階（５）前方拡大正面図
【図３８】図３２の段階（６）前方拡大正面図
【図３９】蓋体８の回転と筆記具本体の後退動作を説明する本筆記具の外装体１及び環状弾性体９の前方縦断面正面図
【図４０】蓋体８の回転と筆記具本体２の後退動作を説明する本筆記具の前方縦断面正面図
【図４１】本筆記具の後方ノック部にクリップ１４の反基端部のみを示した上方から見た正面図
【図４２】図４１の部分拡大正面図
【図４３】図４２における回転子１３の凸部１３ａが前進する様子を示す図
【図４４】図４２における回転子１３の凸部１３ａが第１の傾斜壁１４ｉを通過する様子を示す図
【図４５】図４２における回転子１３の凸部１３ａが係合部１ｐに位置した様子を示す図
【図４６】図４２における回転子１３の凸部１３ａが第３の傾斜壁１４ｊを通過する様子を示す図
【図４７】図４２における回転子１３の凸部１３ａが第４の傾斜壁１ｔを通過する様子を示す図
【発明を実施するための形態】
【００１０】
出没式筆記具は、主に外装体と、先端にペン先を備える筆記具本体と、その筆記具本体を外装体内で常に後方に付勢するための弾性体と、筆記具本体を操作する操作部材とで構成されている。
【００１１】
外装体は、１部品又は前軸と後軸などの２部品以上から成る部材を組み立てたものから成り、筆記具本体が先端に備えたペン先を外装体から突出させるために、先端に開口部が形成されている。
【００１２】
筆記具本体が先端に備えるペン先は、ボールペン用ペン先、繊維収束体、ウレタンなどの多孔質体、連通孔を有する合成樹脂など適宜使用可能である。
【００１３】
筆記具本体は、内部に塗布液を収容しており、この塗布液の収容方法は、繊維収束体などの吸蔵体に含浸させたり、吸蔵体を使用せずに、塗布体内に直接自由状態で収容してもよい。使用される塗布液も、化粧用塗布液や筆記具用のインキなど適宜使用できる。筆記具用のインキの場合は着色剤として染料及び／又は顔料が使用でき、媒体も水、有機溶剤が適宜使用できる。
【００１４】
筆記具本体を前進させて、外装体の先端からペン先を突出させる操作は、筆記具本体の後端に配置したノック部材や、側部にスライド機構を設けるなどの操作部材を配置し、公知の方法を適宜採用できるものである。
【００１５】
非使用時である筆記具本体の先端に備えるペン先が外装体内に収容された状態で、塗布液の蒸発等を抑制するために、ペン先を外気と遮断するための密閉部を外装体に設けることで長時間保管状態にあっても使用することができる。この場合、筆記具本体の前後動に合わせてペン先が通過する通路を閉塞及び開口させる機構を構成することで、１回の操作で外装体の先端開口部からの、ペン先の突出状態とペン先の没入状態を操作することができるため、より使いやすい出没式塗布具とすることができる。
【００１６】
筆記具本体の先端に備えるペン先を外気と遮断する機構としては、特開２００５−３３５０８２号や特開２０１１−１７３４０７号に開示されているような操作により蓋を開閉させる蓋開閉方式や、特開２００４−３１４５１３号に開示されているような外装体の開口部に配置した弾性体にスリットを形成してペン先が筒状体内に収納されている状態では外側からスリットを締め、塗布体の前進によりペン先又は他の手段により筒状体のスリットを開口させるスリット弁方式等が挙げられ、適宜選択できる。
【００１７】
なお、ボールペン用ペン先のようなペン先自体が内部を閉塞する弁機能を備えるものであったり、シャープペンシルや鉛筆、クレヨンのような乾燥による筆記不能の心配が極小の場合には、必ずしも密閉構造を設ける必要は無い。
【実施例】
【００１８】
本実施例において、筆記具のペン先方向を前方、その反対を後方、そして筆記具の長手方向の軸線から筆記具の外側壁に配設されたクリップ１４に向かう方向を上方、その反対側の軸線に向かう方向を下方とし、筆記具の軸線とクリップ１４を結ぶ線及び軸線との垂線方向を横方として説明しており、以降の実施例についてもこれを踏襲するものとする。
【００１９】
本実施例の全体を示す縦断面図１に示すように、筆記具を手で把持する部材である外装体１の内部には、ペン先３を先端に備えた筆記具本体２を前後動可能に収容している。外装体１は、前後端に開口部を有する貫通穴を備えた筒状体であり、前端開口部１ａがペン先突出口であり、後端開口部１ｂが操作部材の突出口となっている。前端開口部１ａには、蓋体８と当接する環状弾性体９が嵌めこまれて固定されており、その蓋体８が閉じた状態では蓋体８と環状弾性体９とが周状当接し、外部との通気を遮断している。
【００２０】
外装体１の内部には、後端部を軸筒４の肩部４ｃに当接したコイルスプリング１０が配置されており軸筒４を後方に付勢している。また、細径部４ａには、環状弾性体１１が嵌められており、コイルスプリング１０の前端部を環状弾性体１１に当接し、環状部材１２を介して蓋体８を前方に付勢している。環状弾性体１１が外装体１の内壁と気密状に摺接することで、ペン先３の存在する空間の後方密閉状態を形成し、蓋体８の外装体１の前端開口部１ａの閉塞によってペン先３の存在する空間を外気と遮断し得る。
【００２１】
外装体１の後方にはクリップ１４が接続固定されている。筆記具本体２に配設された回転子１３が外装体１の後方外周面に形成された窓孔１ｋ内を前後動し、クリップ１４の反基端部１４ｈに形成した第１の傾斜壁１４ｉにて案内されることで、外装体１の前端開口部１ａからペン先３を突出させることができる。
【００２２】
以下、各部品についての詳細な説明をする。
【００２３】
外装体１の先端部の縦断面斜視図である図２及び外装体１の先端部の縦断面正面図である図３に示すように、前端開口部１ａの後方には、環状弾性体９を固定するための２つの段部から成る固定部１Ｇが形成され、その後方には外装体１の内側面から向かい合うように軸受部１ｃが後方に向かって延設されている。軸受部１ｃには、蓋体８の回転軸８ｃの移動を規制するため前方及び上下に壁を設けている。なお、前方の壁（受面１ｄ）の上下に設けられた壁（開口ストッパー８ｈ及び閉塞ストッパー８ｉ）の間の距離は、回転軸８ｃが上下動するための距離が必要である。そのため、軸受部１ｃは上方に長い凹形状となっている。
【００２４】
また、受面１ｄには、外装体１の前方に向かって互いの側面の距離が小さくなるようなテーパと成した開凹部１ｅと閉凹部１ｆが形成されている。そして、開凹部１ｅと閉凹部１ｆとの間には、開凹部１ｅと閉凹部１ｆを結ぶテーパ面を延設し、受け面１ｄよりも後方に伸びた中央突部１ｇが形成されている。なお、その中央突部１ｇの頂部は蓋体８の回転軸８ｃに形成された凹カム部８ｇと当接するため、Ｒ曲面と成している。
【００２５】
開凹部１ｅ、閉凹部１ｆ、及び、中央突部１ｇが、軸受部１ｃに形成された歯に該当する部分（ラック部）である。
【００２６】
このラック部の両端には、蓋体８の開口時及び閉口時の動作の終点を規定する開口ストッパー８ｈと閉塞ストッパー８ｉがそれぞれ当接する、開口ストッパー当接壁１ｈと閉塞ストッパー当接壁１ｉが形成されている。閉塞ストッパー当接壁１ｉは、環状部材１２の側壁部１２ｂと対向するように、開口ストッパー当接壁１ｈよりも後方に長く形成されている。
【００２７】
開凹部１ｅは、蓋体８が開口状態にある時、蓋体８の回転軸８ｃに形成された開カム突起８ｆが開凹部１ｅの底部と当接し、また閉凹部１ｆは、蓋体８が閉塞状態にある時、蓋体８の閉カム突起８ｄの底部が当接し、蓋体８の前方への規制をしている。軸受部１ｃの後方は壁のない解放された部分となっているが、外装体１に蓋体８を配置する際に、蓋体８が後方より挿入配置を容易にするためである。なお、蓋体８の後方移動規制は、蓋体８の後方に配置する環状部材１２の接触面１２ｃにて行う。
【００２８】
次に外装体１の後方に形成した案内路１ｙ及びクリップ取付部１ｚについて説明する。
【００２９】
外装体１の後部拡大斜視図である図４及び外装体１の後部拡大正面図である図５に示すように、外装体１の後方外周面には、窓孔１ｋが形成されており、該窓孔１ｋは、筆記具本体２を外装体１の後端開口部１ｂから挿入するときに、後述する回転子１３の外周側面に形成した凸部１３ａが入り易いように、外装体１の後端開口部１ｂから形成されている。窓孔１ｋは、後方が回転子１３の凸部１３ａよりも若干幅広く成した幅狭部１ｍ、前方は周方向片側に広い幅広部１ｎとなっている。窓孔１ｋの幅狭部１ｍの前方片側には第２の傾斜壁１ｏが設けてあり、該第２の傾斜壁１ｏには、ペン先３の前端開口部１ａからの突出状態を形成する係合部１ｐが形成されている。突出状態を形成する係合部１ｐは、第２の傾斜壁１ｏの面と窓孔１ｋの幅広部１ｎの側縁部１ｑとを連設しており、第２の傾斜壁１ｏの面は後方に向かうに連れて幅広部１ｎに向かい、回転子１３の凸部１３ａを突出状態を形成する係合部１ｐに案内する傾斜面となっている。
【００３０】
幅広部１ｎの前縁部１ｒは、幅広部１ｎの側縁部１ｑから前方に向かうに連れて、突出状態を形成する係合部１ｐが在る側と反対の側縁部１ｓに向かうよう傾斜している。該前縁部１ｒが、回転子１３の凸部１３ａを筆記具本体２の周方向に変移案内する第４の傾斜壁１ｔとなっている。
【００３１】
また、外装体１の窓孔１ｋの幅狭部１ｍの後方には、幅狭部１ｍの幅をさらに小さくした突部１ｕが対向するように形成されている。この突部１ｕは、段部１ｖと、後方の側面が前方に向かうに連れて窓孔の幅を狭くした傾斜面１ｗとから成る略台形形状となっており、外装体１の後端開口部１ｂから挿入される回転子１３の凸部１３ａが通過し易く、さらにコイルスプリング１０によって後方に付勢された筆記具本体２の後方への付勢を抑える役割をしている。また、この突部１ｕは、クリップ１４を組み立てる際の仮抑えで、筆記具使用時はこの突部１ｕが破損しても、後述するクリップ１４の基端部１４ａに設けた突部１４ｇがすぐ後ろに挿入され、没入状態を形成する係合部１ｘとなり、筆記具本体２の後方への付勢を抑えることができる。
【００３２】
この窓孔１ｋ内において、ペン先３の外装体１の前端開口部１ａからの突出状態を形成する係合部１ｐと、没入状態を形成する係合部１ｘとを有する案内路１ｙが形成される。
突部１ｕよりも後方の外周面には、外装体１の後端開口部１ｂから前方に向かってクリップ１４を取り付けるためのクリップ取付部１ｚが形成されている。
このように  外装体１は、前方に外部との通気を遮断した状態でペン先３を収納する密閉部と後方にクリップ１４を接続固定するためのクリップ取付部１ｚ、及びクリップ取付部１ｚの前方に形成した案内路１ｙにより構成されている。本発明においては、外装体１は一部品で構成しているが、成形性や組立性に応じて複数の部品をネジ螺合や凹凸部による嵌合圧入で一体とした外装体１としても良い。
【００３３】
クリップ取付部１ｚは、窓孔１ｋにより断面が略Ｃ字状に成した外周面の両縁部を橋渡しするように形成した橋渡し部１Ａと、その両側に形成し橋渡し部１Ａの天面よりも一段下がった平面を持った係合部１Ｂとにより構成されている。このように形成することで、外装体１の後端開口部１ｂから形成した窓孔１ｋにより断面が略Ｃ状に成した外装体１後方の変形を抑えることができる。
【００３４】
また、クリップ取付部１ｚには、係合孔（前方係合孔１Ｃ、後方係合孔１Ｄ）が、係合部１Ｂ内に形成されている。
【００３５】
クリップ取付部１ｚの両側面には、クリップ１４との接続部分を横から見えないように目隠し壁１Ｅが形成されている。
【００３６】
また、外装体１の外周面にはクリップ取付部１ｚの前端部から窓孔１ｋに沿って、前方に向かった保護壁１Ｆが形成されている。没入状態において外装体１の外周面から突出した回転子１３の凸部１３ａを保護する役割となっている。さらに保護壁１Ｆの前方端面は前方に向かって漸次高さが低くなるよう傾斜となっており、非使用時にクリップに紙などを挟んだ際に引っ掛かることなく案内することができる。
【００３７】
筆記具本体２は、気体透過が少なく、成形性の良いポリプロピレンを使用した軸筒４とペン先３、中綿６とからなっている。軸筒４の斜視図である図６、軸筒４の正面図である図７及び軸筒４の縦断面正面図である図８に示すように、軸筒４は前後端に開口部を有した貫通穴を備えている。
【００３８】
軸筒４の外形は、細径部４ａと太径部４ｂとその間の肩部４ｃとから主に形成されており、細径部４ａは先端より突出したペン先３を主に収容し、太径部４ｂはインキ吸蔵体６を主に収容している。
【００３９】
ペン先３の正面図である図９に示すペン先３は、筆記部３ａと筆記部３ａよりも細径のインキ吸蔵体６と接続する接続部３ｂからなっている。ペン先３は筆記部３ａが後述するペン先ホルダー７に圧入固定され、ペン先ホルダー７の先端から露出した部分で筆記できるようになっている。
【００４０】
ペン先３の接続部３ｂは、後方の一部から後端に向かい先細となるテーパ部３ｄが形成されており、そのテーパ部３ｄの一部又はストレート部に至るまでインキ吸蔵体６の先端に埋没状に接続され、インキが連通するようなしてある。接続部３ｂにテーパ部３ｄを設けることにより、インキ吸蔵体６に接続し易くなり、更に、インキ接続部３ｂが挿入したことによりインキ吸蔵体６を内側から押圧し、インキ吸蔵体６の押圧部分の繊維密度が徐々に高くなることで、インキ吸蔵体６中に含浸したインキが、毛管力により、繊維密度の高い方へ移動し易くなり、ペン先３へのインキ供給が確実なものとなる。
【００４１】
ペン先ホルダー７は、ペン先ホルダー７の縦断面正面図である図１０に示すように、筒状体で前方にペン先３を圧入固定する圧入固定部７ａが形成され、ペン先３の筆記部３ａと接続部３ｂとの間に形成した段部３ｃと圧入固定部７ａの段部７ｂが当接するまで挿入されている。ペン先ホルダー７は軸筒４の細径部４ａ内部に圧入固定されている。そのペン先ホルダー７は成形部品であり、材質としてポリプロピレンを使用している為、軸筒４内部にペン先ホルダー７を圧入固定しようとすると軸筒４の細径部４ａが拡径する。その為、ペン先ホルダー７の外径と軸筒４の細径部４ａの内側面に形成した保持リブ４ｄの内接径はゆるい圧入関係となっている。しかし、ペン先ホルダー７の軸筒４からの抜け強度を保つ為に、ペン先ホルダー７の中間部には、溝部７ｃが設けられており、その溝部７ｃに、軸筒４の保持リブ４ｄの後方に形成したＣ形状のペン先押さえ凸部４ｅが引っかかっている。これにより、ペン先ホルダー７の筆記具本体２からの脱落が防止されている。
【００４２】
軸筒４の大径部４ｂのインキ吸蔵体６を収容する内側壁にはリブ４ｆが形成され、インキ吸蔵体６が挿入される際の案内をしている。
【００４３】
また、太径部４ｂの外周面の前方には突起４ｌと反対の側面にブレ防止リブ４ｒが形成され、筆記具本体２が外装体１内で前後動する際の径方向へのブレを防止している。
【００４４】
さらに、軸筒４の太径部４ｂの後方内側面周壁には、後述する尾栓５と螺合するための雌ネジ部４ｓと、その前方に内部空間を液密状態にするために凸部４ｔが周状に形成されている。
【００４５】
軸筒４の先端部分の斜視図である図１１に示すように、軸筒４の前端面には、蓋体８の内側カム部８ｊと衝接して蓋体８に回転力を与える凹曲面４ｇが設けられている。軸筒４の凹曲面４ｇは第１、第２の二つ曲率半径を有する凹曲面となっており、軸筒４の後方から前方に向かって、第１曲面の曲率半径が第２曲面の曲率半径よりも大きい曲面で、かつ、二つの曲面の間は極力角とならない様になだらかにつながっている。蓋体８の内側カム部８ｊは凹曲面４ｇ上を、第２曲面から第１曲面へと移動する。また、凹曲面４ｇの一部には、面取り部４ｈが形成されている。これは、蓋体８が回転し、内側カム部８ｊが軸筒４の凹曲面４ｇからの離脱をスムーズにするために設けている。これにより、内側カム部８ｊ及び凹曲面４ｇの角部の摩耗を低減することができ、繰り返しの使用でも動作不良無く、長く使用することができる。
【００４６】
また、軸筒４の細径部４ａの前方外側面には、後述する環状部材１２の中孔部１２ｇに接触する解除突起４ｉが設けられ、その解除突起４ｉの反対側には切り掻き部４ｊが設けられている。
【００４７】
軸筒４の細径部４ａの内側面とペン先ホルダー７の外側面の間には、軸筒４の内部と外部を気体通行可能に軸筒４に空気溝４ｋが設けられている。空気溝４ｋを解除突起４ｉ側に設けることで、解除突起４ｉ側の軸筒４の肉厚が薄くなり、射出成形にて軸筒４を作製する際に、より解除突起４ｉの形状が変形せずに作製しやすいものとしている。
【００４８】
軸筒４の後方部分の斜視図である図１２に示すように、軸筒４の太径部４ｂの後方外周面には、突起４ｌが上方に向かって形成され、外装体１の側部に設けられた窓孔１ｋを通じて外装体１の外に突出している。この突起４ｌは、後方に付勢された筆記具本体２がペン先３没入状態を維持するために没入状態を形成する係合部１ｘと係合している。
【００４９】
突起４ｌの前方には、後述する断面がＣ字状の回転子１３を回転自在に配置するための凹部４ｍが形成されている。凹部４ｍは、断面が回転子１３の断面に合わせ、Ｃ字状に形成されていて、回転子１３が回転する範囲で干渉しないようになっている。
【００５０】
また、凹部４ｍは、前方が周方向に足の短いＣ字状部４ｎと、後方が周方向に足の長いＣ字状部４ｏとなっている。凹部の周方向に足の短いＣ字状部４ｎの前縁部４ｐには、筆記具本体２の太径部４ｂの外周面に沿って、後方に延びた突部４ｑが形成されている。この突部４ｑは後述する回転子１３の規制凹部１３ｇ及び、補助凹部１３ｈと係合することにより、回転子１３が後退する動作において、回転子１３の周方向への移動を防止する及び、周方向への移動を補助する役割をもっている。
【００５１】
尾栓５の正面図である図１３に示すように、尾栓５の後方には外装体１の後端開口部１ｂから露出し、筆記具本体２を押圧するためのノック部５ａと前方に挿入部５ｂが形成され、その挿入部５ｂは軸筒４の太径部４ｂの内向に挿入状態で液蜜に螺合し、尾栓５の内部空間にまでインキ吸蔵体６が介在するようになしてある。尾栓５の挿入部５ｂの外周面に形成した雄ネジ部５ｃと軸筒４の雌ネジ部４ｓとの螺合は１条ネジにて構成されているが、多条ネジとしても良い。また、軸筒４と尾栓５が液密に着脱が可能であれば乗り越えリブとして嵌合させる構成とすることもできる。さらに、尾栓５と軸筒４を挿入状態で液密にするために、尾栓５の雄ネジ部５ｃの前方に軸筒４の凸部４ｔと嵌合する凹形状の当接部５ｄを設けているが、前記当接部５ｄは凸形状や平面とすることも可能である。当接部５ｄを凹形状とすることで、軸筒４に形成した雌ネジ部４ｓに接触して当接部５ｄの表面に傷などを付けることなく尾栓５を挿入することができる。
【００５２】
尾栓５の縦断面正面図である図１４及び尾栓５のインキ吸蔵体６を挿入する方向からの前方から見た図である図１５に示すように、尾栓５の内壁の底部と内側壁には、複数のリブ５ｅが形成され、特に内側壁のリブ５ｅは長手方向に延在しており、尾栓５の内部とインキ吸蔵体６との間に軸筒４の内部空間と連通する通気路を形成していると共に、リブ５ｅによってインキ吸蔵体６が挟持される形となっており、尾栓５を軸筒４から取り外す時にインキ吸蔵体６が尾栓５とともに取り外されるようなしてある。一方、軸筒４の複数のリブ４ｆは、インキ吸蔵体６を挿入する際の案内の役割でリブ４ｆの内接円径はインキ吸蔵体６の外径よりも大きく設定しており、収容時には軸筒４の複数のリブ４ｆには保持されない。インキ吸蔵体６は前端部から接続されたペン先３の接続部３ｂと尾栓５の複数のリブ５ｅにより保持されているのである。
【００５３】
このようにすることによって、インキ吸蔵体６中に含浸するインキが消費されて少なくなったりインキがなくなったりした際に、尾栓５と共にインキ吸蔵体６を抜き出し、再度インキを含浸させたり、インキ吸蔵体６ごと交換するなどとすることができるものである。尾栓５の内側壁の複数のリブ５ｅは、横断面が板状で内接円径及びインキ吸蔵体６と接触する頂部面幅が一定となっている。その複数のリブ５ｅの前方端部は、前方に向かうに連れ尾栓５の内側面に潜り込むようなテーパ部５ｆが形成されている。テーパ部５ｆは、インキ吸蔵体６を尾栓５に挿入する際の案内となっており、インキ吸蔵体６を引っ掛かり無く尾栓５内に収容することができる。
【００５４】
複数のリブ５ｅの後方には、内接円径を小さくした受けリブ５ｇが尾栓５の内壁の底部から延設している。インキ吸蔵体６の端部が受けリブ５ｇと接触することで、インキ吸蔵体６の挿入完了としている。受けリブ５ｇを設けることにより、インキ吸蔵体６の端部と尾栓５の内壁の底部との間に空間ができ、複数のリブ５ｅによる通気路としているのである。さらには、衝撃などによりインキ吸蔵体からインキが漏れた時には、インキを保持する役割も担っている。
【００５５】
尾栓５の天面には中心部に凹部５ｇが形成され、さらに凹部５ｇよりも径が大きく深さが浅い段部５ｈが形成されている。
【００５６】
凹部５ｇは、射出成形する際のゲート部となり、離型時に発生するゲート残りが尾栓５の端面よりも突出しないように深い溝となっている。また段部５ｈはシールを貼るための段部で、尾栓５の端面よりも突出しないようになっている。さらにシールを貼ることでゲート跡を隠すことができ外観を向上することもできる。
【００５７】
また、インキ吸蔵体６は、ポリエチレンなどの合成樹脂性フィルムで側壁を覆っており交換時にさわっても手を汚さないようになっている。
【００５８】
蓋体８の斜視図である図１６に示すように、蓋体８は外装体１の前端開口部１ａを塞ぎ得る球状の蓋部８ａと、円柱状の回転軸８ｃを外側に突状態で備える側壁部８ｂとを有している。なお、回転軸８ｃの頂部は、蓋体８が外装体１の内部で回転及び移動した際に外装体１と干渉しないように傾斜のある曲面で形成されている。
【００５９】
蓋体８の回転軸８ｃには、側壁部８ｂを図１７の方向（側面）から見た際に、蓋部８ａの方向に向かって突設した閉カム突起８ｄと、その閉カム突起８ｄと９０度の方向で外側カム部８ｅと逆方向に突設した開カム突起８ｆが形成されている。閉カム突起８ｄ及び開カム突起８ｆはそれぞれ回転軸８ｃから遠ざかるに連れて幅が小さくなるように傾斜が形成されている。また、回転軸８ｃの閉カム突起８ｄと開カム突起８ｆとの間には、回転軸８ｃの中心に向かって凹カム部８ｇが形成されている。その凹カム部８ｇは両側面が回転軸８ｃの中心に向かってその幅を狭くする方向にテーパとなっており、外装体１の軸受部１ｃの中央突部１ｇの頂部と接するため、略楕円状の曲面で連接されている。
【００６０】
閉カム突起８ｄ、開カム突起８ｆ、及び、凹カム部８ｇが、前述した回転軸８ｃに部分的に形成された歯車に該当する部分（歯車部）である。
【００６１】
回転軸８ｃにこのような閉カム突起８ｄ、開カム突起８ｆ及び凹カム部８ｇからなる歯車部を形成することにより、回転軸８ｃが転がるように回転及び上下動する動作を近似的に実現させることができる。
【００６２】
なお、本発明において回転軸８ｃは外装体１の軸受部１ｃに対して転がるように動作設定するため、蓋体８の回転軸８ｃの外径は回転軸８ｃの回転及び上下動する距離により決められる。本実施例では、回転軸８ｃを９０度回転させ、１．５ｍｍ上下動させる。このとき、回転軸８ｃの軸受部１ｃが転がるように接触する部分の仮想円の外径Ｅは
Ｅ＝１．５×４／π≒１．９１ｍｍ
となる。
【００６３】
なお、その外径Ｅの仮想円の円周上の近傍に、閉カム突起８ｄと開カム突起８ｆの曲面がお互い向かい合う位置で一番近づいた点の位置が配置されるように設定されている。
【００６４】
回転軸８ｃの歯車部の両端には、角部を形成し、蓋体８の開口時及び閉塞時の動作の終点を規定する開口ストッパー８ｈ、閉塞ストッパー８ｉが形成されている。
【００６５】
開口ストッパー８ｈは蓋体８の開口動作における終点を規制するもので、外装体１の軸受部１ｃに形成した平面の開口ストッパー当接壁１ｈと当接することで蓋体８の開口動作の終点を規定する。一方閉塞ストッパー８ｉは蓋体８の閉塞動作における終点を規制するもので、外装体１の軸受部１ｃに形成した平面の閉塞ストッパー当接壁１ｉと当接し、蓋体８の閉塞動作を規定する。
【００６６】
また、蓋体８の側壁部８ｂの間部分は空間部分となっており、蓋体８が回転及び移動して外装体１の前端開口部１ａを開放した際には、ペン先３及び筆記具本体２が通過できる通路を形成するものである。
【００６７】
また、外側カム部８ｅにはカム面８ｋがあり、カム面８ｋにて、前述のコイルスプリング１０による前方付勢力を、環状部材１２を介して受け、蓋体８は回転方向に力を受けている。
【００６８】
蓋体８の内側を示す断面正面図である図１８のように、側壁部８ｂの内側には内方突起である内側カム部８ｊ形成されている。内側カム部８ｊは筆記具本体２の前進によって筆記具本体２と衝接する部分である。
【００６９】
本実施例では、側壁部８ｂ上で、内側カム部８ｊと蓋部８ａとを最も離れた位置に設けている。内側カム部８ｊと蓋部８ａとを極力離れた位置に形成することによって、蓋部８ａと、筆記具本体２と蓋体８の内側カム部８ｊとの接触点とまでの間に広い空間を設けることができ、蓋体８の閉塞状態において、ペン先３の最先端位置から、筆記具本体２と蓋体８の内側カム部８ｊとの接触点までの長手方向の距離を稼ぐことができ、筆記具本体２の先端に長いペン先３を設けることができる。また、内側カム部８ｊから回転軸８ｃまでの距離を長くとることができ、より小さいノック荷重で蓋体８を回転させることが可能となる。
【００７０】
内側カム部８ｊは筆記具本体２より荷重を受け、蓋体８を回転及び移動させる部位であるため、内側カム部８ｊが小さすぎると動作中に破損のおそれがあり、熱可塑性樹脂にて蓋体８を作る場合、内側カム部８ｊの断面積は０．２ｍｍ２以上が好ましい。しかし、内側カム部８ｊを大きくすると、内側カム部８ｊと筆記具本体２との接触点が蓋体８の回転及び移動の中で、蓋体８の回転軸８ｃ側へと移動することとなり、接点の回転中心との距離が短く変化するので、この接触点が移動する距離を極力小さくすることがノック荷重を軽くする点において好ましい。よって、内側カム部８ｊの直径は０．４ｍｍ以上５．０ｍｍ以下とし、接触点の移動距離が３ｍｍ以下となるようにすることが好ましい。
【００７１】
蓋体８は、自己潤滑性があり、摩擦摩耗性が優れているポリアセタールを使用している。
【００７２】
なお、本発明においては、蓋体８の開口動作が回転しながら外装体１の軸線から上方に移動させたことを特徴とする出没式筆記具であるため、蓋体８が密接している外装体１の前端開口部１ａの内縁から離れるように回転する。そのため、蓋体８と前端開口部１ａの内縁との摺動抵抗が小さくなり、蓋体８と前端開口部１ａの内縁の磨耗が抑えられ、密閉性が維持できる。
【００７３】
よって、蓋体８には耐摩耗性が多少劣る材質であっても適宜選択することができる。その一例としては、気体透過の少ない材料であるポリプロピレンやポリブチレンテレフタレート、ポリエチレン、ポリエチレンテレフタレートを積極的に使用することが出来る。
【００７４】
そして、蓋体８は形状的に、コの字型をしているため、部品の射出成形時に蓋体８の側壁部８ｂが内側に撓みやすい。この撓みを防止するために、金型の樹脂流入口であるゲートを蓋部８ａの外側中央部分に配置している。また、蓋体８と前端開口部１ａとの接触をより早く実現させるため、蓋部８ａの表面は平面に形成されている。さらに蓋部８ａの表面より突設した頭部８ｌが形成され、この頭部８ｌの頂部にゲートが配置されている。ゲート残りによる蓋体８と前端開口部１ａとが擦れることによる影響を無くすため、ゲート残りとなる部分の周囲に凹部８ｍを形成している。更に、ゲートの径として比較的大きく、成形において、熱可塑性樹脂を流動後の保圧を十分に取ることが出来るようにした方が成形後の撓みが少なくなるため、ゲート径を０．５ｍｍ以上０．８ｍｍ以下とした方が良い。
【００７５】
環状部材１２の斜視図である図１９に示すように、環状部材１２は環状弾性体１１と接続する接続部１２ａと、蓋体８に前方付勢力を付与する側壁部１２ｂを有している。側壁部１２ｂの前端には接触面１２ｃが設けられ、その接触面１２ｃは、傾斜面１２ｄと、蓋体８の開口時に蓋体８の外側カム部８ｅが落ち込み係止する係止溝１２ｅと、突起１２ｆとを有している。傾斜面１２ｄと係止溝１２ｅの間には係止段部１２ｉが形成されている。側壁部１２ｂは後方のコイルスプリング１０の弾発力を、接触面１２ｃを介して蓋体８の外側カム部８ｅに伝え、蓋体８に外装体１の前端開口部１ａを閉塞する方向へと回転力を与えている。
【００７６】
また、接続部１２ａには筆記具本体２の細径部４ａが通行可能な中孔部１２ｇを形成しているが、断面円形状の筆記具本体２の細径部４ａと点接触出来るように、中孔部１２ｇは四角形の角部分を曲面した形状となっている。
【００７７】
側壁部１２ｂの外側面は平面が形成され、前後方向に段部１２ｈを形成している。この段部１２ｈは、外装体１内に配置した時、後述する外装体１の軸受部１ｃの端部に形成した閉塞ストッパー当接壁１ｉと対向するようになっており、環状部材１２が外装体１内で外装体１の軸線を中心に回転することを防止している。
【００７８】
なお、環状部材１２は蓋体８と摺接し、蓋体８を回転及び上下動させる部材であるため、自己潤滑性があり、摩擦摩耗性が優れているポリアセタールを使用している。
【００７９】
環状弾性体１１の縦断面斜視図である図２０に示すように、環状弾性体１１は、外側に、蓋体８が外装体１の前端開口部１ａを閉塞した状態で、外装体１の内面と気密に接触する外側密閉リブ１１ａと環状弾性体１１が外装体１内を摺動する際に傾きすぎることを防止した外側傾き防止リブ１１ｂとを有しており、また、環状弾性体１１の内側に、筆記具本体２と気密に摺接する内側密閉リブ１１ｃを有している。内側密閉リブ１１ｃは二条リブとなっているが、このリブの間に後述の難揮発性液状物が滞留することで、筆記具本体２との密閉を確実になすと共に、摺動抵抗を低く抑えている。また、外側密閉リブ１１ａと内側密閉リブ１１ｃの形成位置を軸方向前後にずらすことによって、外装体１との接触による外側密閉リブ１１ａの内側への撓みと、筆記具本体２との接触による内側密閉リブ１１ｃの外側への撓みが径方向でぶつかり合うことが無いため、筆記具本体２の移動時及び環状弾性体１１が後方へ移動する際の摺動抵抗を小さくしている。
【００８０】
環状弾性体１１の前端部には、環状部材１２の接続部１２ａと接続するための段部１１ｄが形成されている。また、環状弾性体１１の後方に、コイルスプリング１０を受ける受け溝１１ｅが形成され、この受け溝１１ｅの底面にコイルスプリング１０の前端部が当接している。このように受け溝１１ｅを形成することで、コイルスプリング１０と環状部材１２との距離が近くなり、コイルスプリング１０の付勢力による環状弾性体１１の変形を極力小さくすることができ、環状部材１２に付勢力を伝わり易くしている。
【００８１】
環状弾性体１１と外装体１及び筆記具本体２にて、ペン先密閉空間の後方密閉を行っているが、環状弾性体１１の内側密閉リブ１１ｃは筆記具本体２と摺動しつつ密閉を行い、外側密閉リブ１１ａは外装体１と摺動しつつ密閉を行う。つまり、密閉を行う為に、内側密閉リブ１１ｃの内径（図２０のＡ部）は筆記具本体２の外径（図１１のＢ部）よりも小さく、外側密閉リブ１１ａの外径（図２０のＣ部）は外装体１の内径（図３のＤ部）よりも大きく設定されるが、この各部材間の直径差、つまりＢ−Ａ及びＣ−Ｄ、が大きいと密閉は強固になるが、筆記具本体２の前後動時に負荷となる摩擦の大きさは大きくなる為、摺動は悪くなる。よって、良好なノック感を得る為に、ノック荷重が１ｋｇｆ以下となり、かつ十分な密閉が得られる範囲として、各部材間の直径差が０．１ｍｍ以上０．４ｍｍ以下が好ましく、本実施例では、内側密閉リブ１１ｃと筆記具本体２の直径差を０．３ｍｍとし、外側密閉リブ１１ａと外装体１の直径差を０．２ｍｍとしている。
【００８２】
キャップ内空間を気密に保つ環状弾性体９と環状弾性体１１の材質としては、ブチルゴム以外、イソブチレンゴム、ブタジエンゴム、スチレン・ブタジエンゴム、二トリルゴム、クロロプレンゴム、ブチルゴム、エチレンプロピレンゴム、クロロスルホン化ポリエチレン、塩素化ポリエチレン、アクリルゴム、シリコンゴム、アクリロニトリルブタジエンゴム、ウレタンゴム、フッ素ゴム、エピクロロヒドリンゴム、多硫化ゴムや、オレフィン系熱可塑性エラストマー、スチレン系熱可塑性エラストマーのゴムやエラストマー等及びこれらの混合物などが例示でき、インキに対する耐薬品性、密閉性に影響する耐ガス透過性に優れている物であれば良いが、ブチルゴムであると耐薬品性、耐ガス透過性ともに優れているので良好な密閉を行うことができる。また、特に、ハロゲン化ブチルゴムは圧縮永久歪みが小さいので、摺動の際の弾性変形を、静止時には元の形状に戻りやすく、良好な密閉と摺動を行うことができるものである。
【００８３】
また、環状弾性体１１を蓋体８に近い位置に配置することによって、ペン先３の収容空間を小さいものとし、収容空間内でのペン先乾燥を極力抑制するものである。特に、細いペン先３の場合には、ペン先３の収容空間の大きさが収容空間内でのペン先乾燥に大きく影響するので、より効果的にペン先乾燥を抑制するものである。
【００８４】
各部材の摺接する部分には、難揮発性液状物を塗布することにより、摺接時の摩擦を抑えることが可能である。難揮発性液状物としては、凝固点が−２２℃以下、沸点が１４５℃以上、粘度が１０ｍＰａ・ｓ以上５００，０００ｍＰａ・ｓ（２０℃）以下のものであれば良く、合成潤滑油、鉱物油、グリセリン、リノール酸、リノレン酸、オレイン酸等の不飽和脂肪酸や各種飽和脂肪酸より構成される大豆油、菜種油、コーン油、紅花油、米油、綿実油、胡麻油、ピーナッツ油、オリーブ油、パーム油等の植物油などが挙げられ、合成潤滑油としては、Α−オレフィン（ポリ−Α−オレフィン）、ポリブテン（ポリイソブチレン）、アルキルベンゼンなどの炭化水素系合成潤滑油、ジエステル（二塩基酸エステル）、ポリオールエステル（ヒンダードエステル）などの脂肪酸エステル系合成潤滑油、シリコーンオイル、ケイ酸エステル、シランなどのシリコーン系合成潤滑油、クロロフルオロカーボン、パーフルオロポリエーテル、フルオロエステルなどのフッ素系合成潤滑油、フェニルエーテル、リン酸エステルなどが挙げられる。これらは、単独もしくは複数を混合して使用することもできる。また、これらをゲル化したものであってもよい。
【００８５】
特に、摺接部を構成する部材に合成樹脂やゴム、エラストマー等が使用されている場合には、インキ等の溶剤に対して化学的に安定で、離型性、非粘着性の性質を持ち、表面張力が低く物質表面で広がりやすい性質を持つポリジメチルシロキサン、ポリメチルハイドロジェンシロキサン、ポリメチルフェニルシロキサン、環状ジメチルシロキサンなどのストレートシリコーンオイルや、側鎖及び又は両末端を有機基により変性させた、アミノ変性、エポキシ変性、カルビノール変性、メルカプト変性、カルボキシル変性、メタクリル変性、ポリエーテル変性、フェノール変性、シラノール変性、アラルキル変性、フロロアルキル変性、長鎖アルキル変性高級脂肪酸エステル変性、高級脂肪酸含有などの変性シリコーンオイルが好適に使用される。また、ポリジメチルシロキサン、ポリメチルハイドロジェンシロキサン、ポリメチルフェニルシロキサン、環状ジメチルシロキサンなどのストレートシリコーンオイルは、温度による粘度変化が少ないので、環境変化等に影響され難いものである。
【００８６】
なお、該部以外でも、液密性を付与したり、摺動抵抗を低減したい部材にこれらの難揮発性液状物を配置することができる。
【００８７】
本実施例においては各部材の摺接する部分には、難揮発性液状物として凝固点が−５０℃以下、沸点が２００℃、粘度が１０，０００ｍＰａ・ｓ（２０℃）であるポリジメチルシロキサンを塗布して介在させており、気密性と摺動の低摩擦係数とを実現している。
【００８８】
クリップ１４の斜視図である図２１及びクリップ１４の下方から見た図２２に示すクリップ１４は、クリップ１４の基端部１４ａが外装体１のクリップ取付部１ｚに嵌着され、外装体１の窓孔１ｋを覆うように配設される。
【００８９】
クリップ１４の基端部１４ａには、クリップ取付部１ｚの前方係合孔１Ｃと後方係合孔１Ｄに係合するよう、クリップ１４の両側面に沿って下方向に突設した前後２つの係合突起（前方係合突起１４ｂ、後方係合突起１４ｃ）が形成されている。後方係合突起１４ｃは、周方向に向いた前方爪部１４ｄが形成され、前方係合突起１４ｂは、前方に向かって前方爪部１４ｄが形成されている。このように形成することで、クリップ１４の前方を上方向に持ち上げた時の力が前方係合突起１４ｃの前方爪部１４ｄ全体で受けることができるため、周方向に向いた爪よりも外れ難くすることができる。
【００９０】
クリップ基端部１４ａの中央前方には、外装体１の窓孔１ｋの幅狭部１ｍに入り込むよう下方向に突設した突部１４ｇを形成しており、外装体１の窓孔１ｋの幅狭部１ｍの両側縁部と囲むようにして、没入状態を形成する係合部１ｘとしての役割となっている。
【００９１】
更に、クリップ基端部１４ａ中央の後端面に段部１４ｆを形成し、外装体１のクリップ取付部１ｚの橋渡し部１Ａが当接することで、クリップ１４と外装体１の取り付け完了としている。
クリップ１４の縦断面図である図２３に示すように、突起１４ｇ及び後方係合突起１４ｃの後方には傾斜段部１４ｒ、傾斜段部１４ｑがそれぞれ形成されている。この傾斜段部１４ｒ、傾斜段部１４ｑは後述するクリップ１４を外装体１にセットする際に、前方係合突起１４ｂの前方爪部１４ｄが引っ掛かりなく前方係合孔１Ｃ内に挿入することができ、セットし易くしている。
【００９２】
クリップ１４の反基端部１４ｈには、図２２に示すように、回転子１３の凸部１３ａを筆記具本体２の周方向に変移案内する第１の傾斜壁１４ｉが下方向に向かって突出しており、第４の傾斜壁１ｔと同一軸線上に位置している。第１の傾斜壁１４ｉは、突出状態を形成する係合部１ｐが在る側と反対の側縁部１ｓから幅広部側の側縁部１ｑに向かって角度をもった壁が突設している。第１の傾斜壁１４ｉと第４の傾斜壁１ｔは、回転子１３の凸部１３ａを、互いに周方向反対側に案内することができ、周方向への展開の小さいカム構造とすることができる。
【００９３】
第１の傾斜壁１４ｉの最前部には、第１の傾斜壁１４ｉを乗り越えるための第３の傾斜壁１４ｊが形成されており、第３の傾斜壁１４ｊには、後方に延びた側面１４ｋが後述する前方規制面１４ｌを介して連設されている。該第３の傾斜壁１４ｊは、突出状態を形成する係合部１ｐの前方に位置し、後方に向かうに連れて漸次高さが低くなるよう形成した傾斜面となっている。第１の傾斜壁１４ｉの最前部に、第３の傾斜壁１４ｊを形成したことで、回転子１３の凸部１３ａを第１の傾斜壁１４ｉから、第１の傾斜壁１４ｉと互いに同一軸線にある第４の傾斜壁１ｔへ案内することが可能となり、凸部１３ａの周方向への案内路を小さくすることができる。
【００９４】
さらに、第４の傾斜壁の周方向の範囲内に第１の傾斜壁、第２の傾斜壁、第３の傾斜壁を設置することで、凸部１３ａの周方向の移動範囲を最小限にすることができ、軸を細身にできる。
【００９５】
第１の傾斜壁１４ｉと第３の傾斜壁１４ｊの連接部には、回転子１３の前方への移動を規制する前方規制面１４ｌが形成されている。クリップ１４の前方規制面１４ｌの縦断面図である図２４に示すように、前方規制面１４ｌは後方上方向へ向いた傾斜面となっている。後述する回転子１３の凸部１３ａと当接し、クリップ１４に前方への押圧を掛った時、クリップ１４の反基端部１４ｈには下方に向かう方向の力が掛かるため、凸部１３ａが前方規制面１４ｌを乗り越えにくくなり、確実なノック作動ができる。
【００９６】
第１の傾斜壁１４ｉの天面には段部１４ｍが縦方向に形成され、その段部１４ｍから第３の傾斜壁１４ｊ側の側面と反対の側面に向かって一段低くなった傾斜天面１４ｎが構成されている。そして、この傾斜天面１４ｎは段部１４ｍから第３の傾斜壁１４ｊ側の側面と反対の側面に向かって漸次高さが低くなるよう形成した傾斜となっている。
【００９７】
また、第１の傾斜壁１４ｉよりも前方には、落ち込み防止突起１４ｏが形成され、第１の傾斜壁１４ｉと第４の傾斜壁の間に回転子１３の凸部１３ａが落ち込むのを防止するとともに、第１の傾斜壁１４ｉの肉厚を適正に設計することができ、クリップ１４の急激な肉厚変化を抑えることで、材料が起こす成形時の収縮によって生じるへこみ（ヒケ）を極力抑えることができる。
【００９８】
クリップ１４の裏面には突部１４ｇの前端部から前方に向かって補強リブ１４ｐが形成されている。この補強リブ１４ｐは、クリップ１４を上方に持ち上げた時のクリップ１４と基端部１４ａの段部に掛る曲げ応力を分散させ、応力集中によるクリップ１４の破損を防止する役割をしている。
【００９９】
回転子１３の斜視図である図２５及び回転子１３の上方から見た正面図である図２６に示すように、回転子１３は、軸筒４の凹部４ｍの断面と同じようにＣ字状部１３ｂからなり、その両端部から幅の短い延長部１３ｃが形成されている。
【０１００】
これは、回転子１３を軸筒４の凹部４ｍに前後逆方向に組み付けた時、回転子１３の延長部１３ｃが軸筒４の凹部４ｍの足の短いＣ字状部４ｎ及び足の長いＣ字状部４ｏと干渉することで、誤った組み付けを防止する役割をしている。
【０１０１】
回転子１３の外側面には、外装体１の窓孔１ｋに挿入され各傾斜壁に案内されるための凸部１３ａが、外装体１の側部に設けられた窓孔１ｋを通じて外装体１の外に突出している。
【０１０２】
凸部１３ａの後方端面は、後方に向かって突出状態を形成する係合部１ｐの在る側に傾斜する後方傾斜面１３ｄとなっている。回転子１３の凸部１３ａが突出状態を形成する係合部１ｐに向かう時に、第２の傾斜壁１ｏに当接し易い形状とすることで、係合部１ｐへと確実に案内される。
【０１０３】
凸部１３ａの前端側面１３ｅは、前方に向かって上方へ高くなる傾斜となっており、クリップ１４の前方規制面１４ｌと面接触するように設定されている。
【０１０４】
また、凸部１３ａの横断面は前後に延びた長方形で前方両角部に４５°のテーパ面を設け、後方に後方傾斜面１３ｄを設けているが、この形状の限りではなく設けなくともよい。外装体１の窓孔１ｋ内に形成した案内路を通過することができ、さらに突出状態を形成する係合部１ｐに係止され、ペン先突出状態を保つことができれば、適宜応用することができる。さらに、凸部１３ａの天面は、前後に山形状をした頂部１３ｆとなっている。凸部１３ａがクリップ１４の第３の傾斜壁１４ｊを通過する際、頂部１３ｆが第３の傾斜壁１４ｊと接触するように設定されている。
【０１０５】
凸部１３ａが第３の傾斜壁１４ｊを通過するときは、凸部１３ａの頂部１３ｆが第３の傾斜壁１４ｊと接触させることで、安定した動作を実現することができる。凸部の天面が平坦の場合、凸部１３ａの角部を第３の傾斜壁１４ｊに接触させるために凸部１３ａの回転を大きくしなければならず、ノックストロークが長くなったり、ノック荷重が重くなる問題が生じるが、天面に頂部１３ｆを設けることで、凸部１３ａの回転を小さく設定することができ、外装体１の幅広部１ｎをさらに小さくすることができるため、ノックストロークを短くでき、ノック荷重も抑えることができる。
【０１０６】
また、回転子１３のＣ字状断面の中央部の前方端部には、前端部から後方に向かって筆記具本体２に対して回転子１３の周方向への回転を規制するための規制凹部１３ｇと周方向への回転を補助する補助凹部１３ｈが形成されている。その補助凹部１３ｈの一方の斜面には、角度を小さくした補助斜面１３ｉが形成されている。
【０１０７】
次に、本筆記具の各部品を展開した斜視図である図２７に示した、外装体１に各部品を組み立てる方法を説明する。
【０１０８】
まず、外装体１に環状弾性体９を外装体１の後端開口部１ｂから挿入し、外装体１の前端開口部１ａの後方に成形した固定部１Ｇに圧入固定する。続いて蓋体８、環状部材１２、環状弾性体９及びコイルスプリング１０を順に外装体１の後端開口部１ｂから挿入する。
【０１０９】
次に、ペン先３、ペン先ホルダー７及びインキを充填したインキ吸蔵体６、尾栓５を軸筒４に組み付け、軸筒４の後方外側部に形成した凹部４ｍに回転子１３をセットした筆記具本体２を外装体１の後端開口部１ｂから挿入し、軸筒４の突起４ｌが外装体１の突部１ｕを乗り越え、仮係合させることでコイルスプリング１０により後方に付勢された筆記具本体２を外装体１内に収容することができる。
【０１１０】
この状態において、ペン先３が存在する空間を外気と遮断する密閉空間ができる。
【０１１１】
最後にクリップ１４を外装体１のクリップ取付部１ｚに上方から押圧し嵌め込む。この時の様子を、クリップ１４を外装体１に嵌め込む様子を示すクリップ１４の前方係合突起１４ｂ及び後方係合突起１４ｃの縦断面正面図を示した図２８、クリップ１４を外装体１に嵌め込む様子を示すクリップ１４の中心からカットした縦断面図を示した図２９により説明する。
【０１１２】
図２８及び図２９の（１）はクリップ１４を外装体１に組み付ける前の図で（２）は組み付ける途中、（３）は組み付け完了した状態を示し、図２８、図２９はそれぞれ同じ瞬間を示している。
【０１１３】
図２８（１）の状態からクリップ１４を下方へ移動させると、クリップ１４の突部１４ｇが外装体１の橋渡し部１Ａの前端面に当接し、続いて前方係合突起１４ｂ及び後方係合突起１４ｃが外装体１の前方係合孔１Ｃ及び後方係合孔１Ｄにそれぞれ入り込んでいく。突部１４ｇ及び後方係合突起１４ｃには傾斜段部１４ｒ、傾斜段部１４ｑが形成されているため、前方係合突起１４ｂに形成した前方爪部１４ｄは前方係合孔１Ｃに引っ掛かることなく挿入することができる。
【０１１４】
図２８（２）まで押し込むと、傾斜段部１４ｒ、傾斜段部１４ｑにより、クリップ１４が前方に移動しつつ入り込む。このとき前方係合突起１４ｂは前方爪部１４ｄにより後方に押され、変形しながら入り込むが、図２８（３）の状態まで一気に押し込むため、前方係合突起１４ｂの変形を最小限にすることができる。
【０１１５】
また、外装体１とクリップ１４を配設した後方から見た正面図である図３０に示すように、外装体１に配設されたクリップ１４は、クリップ基端部１４ａ中央の後端面に形成した段部１４ｆとクリップ取付部１ｚの橋渡し部１Ａが当接し、前方爪部１４ｄ及び前方爪部１４ｄとの係合により外装体１に対して固定される状態において、基端部１４ａとクリップ取付部１ｚの係合部１Ｂとの間に若干の隙間Ｆを設けている。このように隙間Ｆを設けることでクリップ１４を外装体１にセットする際、クリップ１４の両側面が下方向に撓み易くなり、クリップ１４の前方爪部１４ｄ及び後方爪部１４ｅを確実にクリップ取付部１ｚに引っ掛けることができる。
【０１１６】
図３１及び図３２に、筆記具本体２が前進するに伴い蓋体８が回転及び上方へ移動し、外装体１の前端開口部１ａを開口して、ペン先３及び筆記具本体２が前端開口部１ａより突出する様子を示す。なお、説明の都合上、図３１は縦断面正面図とし、ペン先３を未表示とし、図３２は外装体１及び環状弾性体９を縦断面正面図として示している。なお、図３１と図３２の各段階（１）〜（６）は同じ瞬間を示している。
【０１１７】
また、図３３〜図３８はそれぞれ、図３２の段階（１）〜（６）の前方拡大正面図であり、蓋体８の回転軸８ｃの回転及び上方方向への移動の様子を詳細に示している。
【０１１８】
また、蓋体８の背面に隠れて本来は見えない外装体１の軸受部１ｃは、説明の都合上、破線で記載している。
【０１１９】
筆記具本体２の前進によって筆記具本体２の凹曲面４ｇと蓋体８の内側カム部８ｊが衝接し、蓋体８を軸受部１ｃの上方に長い凹形状に沿って上方に移動させようとする。このとき、回転軸８ｃの閉カム突起８ｄが軸受部１ｃの閉凹部１ｆ内に収まっている（段階（１）及び図３３）。そのため、回転軸８ｃが上方向に力を受けると、閉カム突起８ｄが閉凹部１ｆと中央突部１ｇを延設した傾斜面１ｊを押圧する。しかし、閉カム突起８ｄは閉凹部１ｆ又は中央突部１ｇにより上方へ移動することができず、閉カム突起８ｄと傾斜面１ｊの接触部を中心に回転することとなる。これにより、閉カム突起８ｄは曲面のため閉中央突部１ｇ傾斜面１ｊを登るように傾斜面１ｊとの接触部が移動する（段階（２）及び図３４）。
【０１２０】
筆記具本体２が段階（３）及び図３５の状態まで前進すると、回転軸８ｃの閉カム突起８ｄと傾斜面１ｊとの接触が解かれる。そして、軸受部１ｃに形成された中央突部１ｇのＲ曲面状の頂部が回転軸８ｃの凹カム部８ｇに接触することで蓋体８が上方へ移動しながら回転する。
【０１２１】
さらに、筆記具本体２が段階（４）及び図３６の状態まで前進すると、回転軸８ｃの開カム突起８ｆが軸受部１ｃの開凹部１ｅに入り込むように回転軸８ｃが回転及び上方へ移動する。
【０１２２】
段階（５）及び図３７の状態では、回転軸８ｃの開カム突起８ｆが軸受部１ｃの開凹部１ｅに入り込む直前の状態となり、蓋体８の外側カム部８ｅが環状部材１２の傾斜面１２ｄにより押圧され、傾斜面１２ｄ上を滑り、係止溝１２ｅ内に入り込む。
【０１２３】
蓋体８の外側カム部８ｅにより蓋体８が係止された状態では、蓋体８の内側カム部８ｊと筆記具本体２の凹曲面４ｇが接触しない位置となり、筆記具本体２のさらなる前進によって、外装体１の前端開口部１ａからペン先３及び筆記具本体２の先端を突出させる（段階（６）及び図３８）。
【０１２４】
本実施例では、回転軸８ｃに形成した突起及び、外装体の軸受部に形成した凹部をそれぞれ２つとして構成しているが、突起及び凹部は２つ以上形成することもできる。突起及び凹部の数を増やすことで、突起及び凹部の接触が次々に変わり、回転と直線の運動動作をよりスムーズに行うことができる。これはいわゆる歯車でいう「ラック＆ピニオン」といわれるものである。
【０１２５】
本実施例では、蓋体８の回転軸８ｃに２つのカムを設け、閉塞及び開口状態において、それぞれのカムが外装体１の軸受部１ｃの凹部に収まる構成であるため、開口及び閉塞動作の開始時、蓋体８に掛る直線の力をより確実に回転及び上下動する力に変えることができ、蓋体８の回転及び移動動作を確実に行うことができる。
【０１２６】
このように回転軸が軸受部に対して転がるように動作させることで、回転軸と軸受部の摩擦抵抗が無くなり、かつ、蓋体８の回転及び移動を容易にすることができる。さらには蓋体８の繰り返しの開閉による回転軸の軸受部に対する摩耗が無いため回転軸の破損が防止でき、耐久性を向上させることができる。また、回転軸が磨耗することで径が細くなり、軸受部に対してがたつきが発生することによる誤動作を防止することができ耐久性を向上することができる。
【０１２７】
図３９及び図４０に、筆記具本体２が後退するに伴い蓋体８が回転し、外装体１の前端開口部１ａを閉塞する様子を示す。なお、説明の都合上、図３９は縦断面正面図とし、図４０は外装体１及び環状弾性体９を縦断面正面図として示している。なお、図３９と図４０の各段階（１）〜（５）は同じ瞬間を示している。
【０１２８】
筆記具本体２が筆記状態の段階（１）から段階（２）の状態まで後退すると、筆記具本体２の先端に設けた解除突起４ｉが環状部材１２の中孔部１２ｇに接触する。更に筆記具本体２が段階（３）の状態まで後退すると、解除突起４ｉが環状部材１２の中孔部１２ｇを通過する。このとき解除突起４ｉにより環状部材１２が下方に移動する力を受けるが、筆記具本体２の解除突起４ｉの反対側に設けた切り掻き部４ｊによって、環状部材１２が傾きつつ、筆記具本体２は中孔部１２ｇを通過し後退する。
【０１２９】
中孔部１２ｇと筆記具本体２のクリアランスや中孔部１２ｇの軸方向の幅、且つ筆記具本体２の解除突起４ｉの高さと角度、且つ筆記具本体２の切り掻き部４ｊと解除突起４ｉとの位置関係が適正でないと、環状部材１２が傾かず、筆記具本体２と環状部材１２がくいついた状態となったり、又は環状部材１２が十分に傾かないといった不具合が発生する。不具合の発生しない良好な動作の範囲としては、中孔部１２ｇと筆記具本体２のクリアランスを０．０５ｍｍ以上０．５ｍｍ以下とし、中孔部１２ｇの軸方向の幅を０．２ｍｍ以上２．０ｍｍ以下とし、筆記具本体２の解除突起４ｉの高さを０．１５ｍｍ以上０．４ｍｍ以下とし、解除突起４ｉの軸後方側の角度を１５０°以上１７０°以下とし、筆記具本体２の切り掻き部４ｊの軸後方側の始まり部と解除突起４ｉの軸後方側始まり部とのクリアランスを０．１５ｍｍ以上０．５ｍｍ以下としている。
【０１３０】
環状部材１２が傾くことによって、蓋体８と環状部材１２との係止のバランスが崩れ、且つ環状部材１２の係止段部１２ｉが、蓋体８の外側カム部８ｅの回転軌道に対して低くなるため、後方のコイルスプリング１０からの前進方向の押圧力が環状弾性体１１及び環状部材１２の接触面１２ｃを通して蓋体８の外側カム部８ｅに伝わり、この押圧力により蓋体８の回転軸８ｃに閉塞する方向へ回転する力が働く（段階（４））。
【０１３１】
なお、製品によって部材寸法の誤差、組み立てのばらつき等の発生により、蓋体８と環状部材１２との係止のバランスが崩れ無くとも、環状部材１２が傾くことにより環状部材１２の突起１２ｆが蓋体８の外側カム部８ｅを押し、強制的に係止溝１２ｅから外側カム部８ｅを押し出し、蓋体８は閉口方向へ回転する。
【０１３２】
環状部材１２の係止溝１２ｅから抜け出た蓋体８の外側カム部８ｅは環状部材１２の接触面１２ｃに押圧され、外装体１の前端開口部１ａを閉塞する方向へと弾発力を受け、蓋体８は前端開口部１ａを閉塞する（段階（５））。
【０１３３】
筆記具本体２の後退時に環状部材１２と係止溝１２ｅに入り込んだ蓋体８の外側カム部８ｅが係止された状態が保てれば環状部材１２の係止段部１２ｉは形成しなくても良い。係止段部１２ｉを形成する場合は、高すぎると係止を解除出来ないということが発生するため、係止段部１２ｉの高さは１．０ｍｍ以下が良好である。
【０１３４】
また、筆記具本体２の解除突起４ｉは筆記具本体２の細径部４ａ上に設けられており、細径部４ａは環状弾性体１１と気密に摺接する部位であるので、金型の継ぎ目に形成されるパーティングライン等を発生させないために、コアピンを先に抜いて内側にたわませられようにして金型より取り出す方式（所謂無理抜き）で成形する。この無理抜きの際に解除突起４ｉが潰れない様にするために、解除突起４ｉの後方側角度を１５５°以上の角度とすると共に、解除突起４ｉの頂点部分に平面部を持たせることによって補強している。
【０１３５】
このように蓋体８の回転軸８ｃと外装体１の軸受部１ｃの摺動抵抗により回転軸８ｃが回転しながら上下動する構成とすることで、蓋体８を前方へ付勢する付勢力と、筆記体本体２を後方へ付勢する付勢力を、コイルスプリング１０の弾発力で構成することができる。そのため、外装体１内の部品の配置が簡素化でき、部品の成型や組み立てを容易にすることができる。
【０１３６】
本実施例では、蓋体８の蓋部８ａがクリップ１４と反対の下方へ収まる方向へ回転するよう設定されている。筆記具を把持する場合、クリップ１４を上方にして把持することを想定し、先端の筆記部が角度のついたペン先を使用した時に、筆記部先端が上方側になるようセットすることで、筆記具本体２が前進する際にペン先筆記部と蓋体８が早く遠ざけることができ、ペン先と蓋体８の干渉を防止することができる。
【０１３７】
次に、本筆記具の後方ノック部にクリップ１４の半基端部のみを上方から見た正面図である図４１に示すように、外装体１の窓孔１ｋ部分を拡大した図４２〜図４７に基づき、回転子１３の凸部１３ａが、ペン先３の没入状態を形成する没入位置から、ペン先３が外装体１の前端開口部１ａから突出した状態を形成する突出位置、さらにペン先３が突出した状態から没入状態までの一連の案内路を移動する動作について説明する。
【０１３８】
筆記具本体２の後端部に接続され外装体１の後端開口部１ｂから突出した尾栓５を押圧すると、筆記具本体２が後方への付勢力に対抗して前進する。窓孔１ｋ内の退没位置にある回転子１３の凸部１３ａは、筆記具本体２の前進により回転子１３の後端面が筆記具本体２の太径部４ｂに形成した凹部４ｍの後端面に接触して押され回転子１３が前進することで、窓孔１ｋ内を前進する（図４２）。凸部１３ａは、前方に位置したクリップ反基端部１４ｈの裏面から突設した第１の傾斜壁１４ｉに接触し（図４３）、第１の傾斜壁１４ｉに沿って移動し、突出状態を形成する係合部１ｐの前方に案内され、第３の傾斜壁１４ｊの側面１４ｋと当接すると同時に、凸部１３ａの前端側面１３ｅがクリップ１４の前方規制面１４ｌと面接触し、凸部１３ａの前方への移動が規制されることで筆記具本体２の前進動作が完了する（図４４）。このとき凸部１３ａと前方規制面１４ｌとの接触面が前方下方向に向いた面となっているため、尾栓５の押圧を継続しても凸部１３ａが前方規制面１４ｌを乗り上げること無く、確実に凸部１３ａの前方への移動が規制される。
【０１３９】
ここで、尾栓５への押圧を解除すると、後方に付勢された筆記具本体２は筆記具本体２の軸線に沿って後退する。このとき、筆記具本体２に伴って回転子１３も同時に後退する。筆記具本体２が後退すると、突出状態を形成する係合部１ｐの傾斜面の前方に移動した回転子１３の凸部１３ａは、筆記具本体２の後退に伴って一緒に後退する。
【０１４０】
この際、凹部４ｍに形成した突部４ｑが、回転子１３に形成した回転子１３の周方向への回転を補助する補助凹部１３ｈの補助斜面１３ｉと当接し、回転子１３の凸部１３ａが突出状態を形成する係合部１ｐに向かうよう案内する。
【０１４１】
回転子１３は、回転子１３の凸部１３ａと突出状態を形成する係合部１ｐの傾斜面、及び回転子１３前端面の補助凹部１３ｈの補助斜面１３ｉと軸筒４の突起４ｑとの接触により、回転子１３は確実に突出状態を形成する係合部１ｐに案内される。回転子１３の凸部１３ａが突出状態を形成する係合部１ｐと係合すると回転子１３の移動が停止し、回転子１３の停止に伴い筆記具本体２の後退も停止される。このとき、筆記具本体２に配設したペン先３が外装体１の先端開口部１ａからの突出状態となり、回転子１３の凸部１３ａの退没位置から突出位置までの動作が完了する（図４５）。
【０１４２】
ペン先３が外装体１の先端開口部１ａからの突出状態から没入状態とするため、外装体１の後端開口部１ｂから突出した尾栓５を押圧すると、前進した筆記具本体２に伴い、回転子１３及び回転子１３の凸部１３ａも前進する。凸部１３ａの前方には、第３の傾斜壁１４ｊが位置し、凸部１３ａが第３の傾斜壁１４ｊと当接する。さらに凸部１３ａが前進すると、第３の傾斜壁１４ｊに沿って凸部１３ａが摺動し、第３の傾斜壁１４ｊは上方へ移動される（図４６）。第３の傾斜壁１４ｊは第１の傾斜壁１４ｉと共にクリップ１４に形成されているため、凸部１３ａの前進によってクリップ１４が変形して反基端部１４ｈが上方へ移動することとなる。このとき凸部１３ａの頂部１３ｆが第３の傾斜壁１４ｊと接触しながら通過するため、凸部１３ａには下方向への力が掛かり回転子１３を幅広部１ｎの側縁部１ｑの方へ向かう周方向への力が働くため、凸部１３ａは第３の傾斜壁１４ｊ上を外れることなく確実に通過することができる。
【０１４３】
凸部１３ａは第１の傾斜壁１４ｉの天面に沿って第１の傾斜壁１４ｉを通過し、更に前方へ移動する。そして、前進した凸部１３ａは、図４７に示すように、外装体１の窓孔１ｋ前端部に形成した第４の傾斜壁１ｔに当接する。さらに筆記具本体２が前進すると、凸部１３ａは第４の傾斜壁１ｔに沿って前進しながら退没位置の方向へ移動する。
【０１４４】
凸部１３ａの頂部１３ｆは第１の傾斜壁１４ｉの天面に押圧されながら通過することとなり、凸部１３ａが、第４の傾斜壁１ｔと突出状態を形成する係合部１ｐが在る側と反対の側縁部１ｓの連接部に到達する間に、凸部１３ａは第１の傾斜壁１４ｉの天面に形成した段部１４ｍを通過し、傾斜天面１４ｎ上を移動する。このとき、クリップ１４には下方向への力が掛っているため、凸部１３ａが段部１４ｍを通過する際に衝撃音を発し、さらに傾斜天面１４ｎの傾斜によりクリップ１４の下方向への力が側縁部１ｓの方へ向かう周方向への力に変換される。凸部１３ａは、傾斜面突出状態を形成する係合部１ｐが在る側と反対の側縁部１ｓに当接すると、凸部１３ａの前方への移動が規制され、筆記具本体２の前進動作が完了する。凸部１３ａが段部１４ｍを通過する衝撃音は、尾栓５の押圧動作の完了を知らせる役割としている。
【０１４５】
この段部１４ｍは衝撃音を発生させるためで設けなくてもよい。
【０１４６】
尾栓５への押圧を解除すると、後方に付勢された筆記具本体２は筆記具本体２の軸線に沿って後退する。回転子１３は、クリップ１４の反基端部１４ｈの変形に伴う反発力により一時停止し、回転子１３の前端面と筆記具本体２の太径部４ｂの凹部４ｍの前端面に当接して押されることで後退し、回転子１３の凸部１３ａが外装体１の窓孔１ｋの突出状態を形成する係合部１ｐが在る側と反対の側縁部１ｓに沿って、退没位置に戻る。このとき、太径部４ｂの凹部４ｍに形成した突部４ｑと回転子１３前端部の周方向への回転を規制するための規制凹部１３ｇが係合する。そのため、回転子１３は後退する過程において回転すること無く、確実に退没位置まで戻ることができる。
【０１４７】
本実施例では、第１の傾斜壁１４ｉ及び第３の傾斜壁１４ｊをクリップ１４の反基端部１４ｈに形成したが、クリップ１４ではなく、外装体１の窓孔１ｋに設け、回転子１３の凸部１３ａの前進により、上下動可能に形成することもできる。外装体１の窓孔１ｋをクリップ１４が覆うように配設することにより、外観から窓孔１ｋを隠すことができ、見栄えが良くなる。
【０１４８】
また、本発明において、突出状態を形成する係合部１ｐを外装体１の窓孔１ｋの幅狭部１ｍと幅広部１ｎとの第２の傾斜壁１ｏに設けたが、第２の傾斜壁１ｏを後方に向かうに連れ幅広部の側縁部１ｑから幅狭部の側縁部１ｓに向かう傾斜面とし、クリップ反基端部１４ｈの裏面から突出状態を形成する係合部１ｐを形成することも可能である。
【０１４９】
この場合、ペン先突出状態において、クリップ１４を持ち上げると、クリップ反基端部１４ｈの裏面に形成した突出状態を形成する係合部１ｐに係合されている回転子１３の凸部１３ａが離脱し、傾斜面に案内されて、退没位置に戻ることが可能となり、いわゆる安全機構と言われる構成とすることができる。
【符号の説明】
【０１５０】
１      外装体
１ａ    前端開口部
１ｂ    後端開口部
１ｃ    軸受部
１ｄ    受面
１ｅ    開凹部
１ｆ    閉凹部
１ｇ    中央突部
１ｈ    開口ストッパー当接壁
１ｉ    閉塞ストッパー当接壁
１ｊ    傾斜面
１ｋ    窓孔
１ｍ    幅狭部
１ｎ    幅広部
１ｏ    第２の傾斜壁
１ｐ    係合部
１ｑ    側縁部
１ｒ    前縁部
１ｓ    側縁部
１ｔ    第４の傾斜壁
１ｕ    突部
１ｖ    段部
１ｗ    傾斜面
１ｘ    係合部
１ｙ    案内路
１ｚ    クリップ取付部
１Ａ    橋渡し部
１Ｂ    係合部
１Ｃ    前方係合孔
１Ｄ    後方係合孔
１Ｅ    目隠し壁
１Ｆ    保護壁
１Ｇ    固定部
２      筆記具本体
３      ペン先
３ａ    筆記部
３ｂ    接続部
３ｃ    段部
３ｄ    テーパ部
４      軸筒
４ａ    細径部
４ｂ    太径部
４ｃ    肩部
４ｄ    保持リブ
４ｅ    ペン先押さえ凸部
４ｆ    リブ
４ｇ    凹曲面
４ｈ    面取り部
４ｉ    解除突起
４ｊ    切り掻き部
４ｋ    空気溝
４ｌ    突起
４ｍ    凹部
４ｎ    足の短いＣ字状部
４ｏ    足の長いＣ字状部
４ｐ    前縁部
４ｑ    突起
４ｒ    ブレ防止リブ
４ｓ    雌ネジ部
４ｔ    凸部
５      尾栓
５ａ    ノック部
５ｂ    挿入部
５ｃ    雄ネジ部
５ｄ    当接部
５ｅ    リブ
５ｆ    テーパ部
５ｇ    受けリブ
５ｈ    凹部
５ｉ    段部
６      インキ吸蔵体
７      ペン先ホルダー
７ａ    圧入固定部
７ｂ    段部
７ｃ    溝部
８      蓋体
８ａ    蓋部
８ｂ    側壁部
８ｃ    回転軸
８ｄ    閉カム突起
８ｅ    外側カム部
８ｆ    開カム突起
８ｇ    凹カム部
８ｈ    開口ストッパー
８ｉ    閉塞ストッパー
８ｊ    内側カム部
８ｋ    カム面
８ｌ    頭部
８ｍ    凹部
９      環状弾性体
１０    コイルスプリング
１１    環状弾性体
１１ａ  外側密閉リブ
１１ｂ  外側傾き防止リブ
１１ｃ  内側密閉リブ
１１ｄ  段部
１１ｅ  受け溝
１２    環状部材
１２ａ  接続部
１２ｂ  側壁部
１２ｃ  接触面
１２ｄ  傾斜面
１２ｅ  係止溝
１２ｆ  突起
１２ｇ  中孔部
１２ｈ  段部
１２ｉ  係止段部
１３    回転子
１３ａ  凸部
１３ｂ  Ｃ字状部
１３ｃ  延長部
１３ｄ  後方傾斜面
１３ｅ  前端側面
１３ｆ  頂部
１３ｇ  規制凹部
１３ｈ  補助凹部
１３ｉ  補助斜面
１４    クリップ
１４ａ  基端部
１４ｂ  前方係合突起
１４ｃ  後方係合突起
１４ｄ  前方爪部
１４ｅ  後方爪部
１４ｆ  段部
１４ｇ  突部
１４ｈ  反基端部
１４ｉ  第１の傾斜壁
１４ｊ  第３の傾斜壁
１４ｋ  側面
１４ｌ  前方規制面
１４ｍ  段部
１４ｎ  傾斜天面
１４ｏ  防止突起
１４ｐ  補強リブ
１４ｑ  傾斜段部
１４ｒ  傾斜段部
【図１】
2018016053.tif 000003
【図２】
2018016053.tif 000004
【図３】
2018016053.tif 000005
【図４】
2018016053.tif 000006
【図５】
2018016053.tif 000007
【図６】
2018016053.tif 000008
【図７】
2018016053.tif 000009
【図８】
2018016053.tif 000010
【図９】
2018016053.tif 000011
【図１０】
2018016053.tif 000012
【図１１】
2018016053.tif 000013
【図１２】
2018016053.tif 000014
【図１３】
2018016053.tif 000015
【図１４】
2018016053.tif 000016
【図１５】
2018016053.tif 000017
【図１６】
2018016053.tif 000018
【図１７】
2018016053.tif 000019
【図１８】
2018016053.tif 000020
【図１９】
2018016053.tif 000021
【図２０】
2018016053.tif 000022
【図２１】
2018016053.tif 000023
【図２２】
2018016053.tif 000024
【図２３】
2018016053.tif 000025
【図２４】
2018016053.tif 000026
【図２５】
2018016053.tif 000027
【図２６】
2018016053.tif 000028
【図２７】
2018016053.tif 000029
【図２８】
2018016053.tif 000030
【図２９】
2018016053.tif 000031
【図３０】
2018016053.tif 000032
【図３１】
2018016053.tif 000033
【図３２】
2018016053.tif 000034
【図３３】
2018016053.tif 000035
【図３４】
2018016053.tif 000036
【図３５】
2018016053.tif 000037
【図３６】
2018016053.tif 000038
【図３７】
2018016053.tif 000039
【図３８】
2018016053.tif 000040
【図３９】
2018016053.tif 000041
【図４０】
2018016053.tif 000042
【図４１】
2018016053.tif 000043
【図４２】
2018016053.tif 000044
【図４３】
2018016053.tif 000045
【図４４】
2018016053.tif 000046
【図４５】
2018016053.tif 000047
【図４６】
2018016053.tif 000048
【図４７】
2018016053.tif 000049